(57)【要約】【課題】壁をかご床の内側から外側へ向かってかご床に沿って移動させて、第１のフランジ部の上面に第２のフランジ部を乗せる際に、第２のフランジ部が第１のフランジ部の上面からずれて、壁がかご床の外側へ移動することを抑制するエレベータのかご室を得る。【解決手段】かご床本体１ａの縁部に巾木１ｂを有したかご床１と、巾木１ｂの上部に設けられる壁２とを備え、巾木１ｂは、かご床本体１ａの縁部から上方へ延びた上延部５と、上延部５からかご床１の内側へ延びた第１のフランジ部６とを有し、壁２は、下端部にかご床１の外側へ延びた第２のフランジ部７を有し、第２のフランジ部７が第１のフランジ部６に固定されるエレベータのかご室において、第２のフランジ部７には、下方へ突出したボルト１０が設けられ、第１のフランジ部６の先端部には、ボルト１０が当接する係合部６ｂが形成されている。【選択図】図２
2009202984.tif 000002
【特許請求の範囲】
【請求項１】
かご床本体と前記かご床本体の縁部に設けられた巾木とを有したかご床と、
前記巾木の上部に設けられる壁とを備え、
前記巾木は、前記かご床本体の縁部から上方へ延びた上延部と、前記上延部の先端部から先端部が前記かご床の内側に向かって延びた第１のフランジ部とを有し、
前記壁は、下端部から先端部が前記かご床の外側に向かって延びた、前記第１のフランジ部に対向する第２のフランジ部を有し、
固定手段を用いて、前記第２のフランジ部が前記第１のフランジ部に固定されるエレベータのかご室において、
前記第２のフランジ部には、前記上延部の高さ方向の寸法より小さく下方へ突出した突出部が設けられ、
前記第１のフランジ部の先端部には、前記壁が前記かご床の内側から外側へ向かって前記かご床に沿って移動することで前記突出部が当接し、前記第２のフランジ部が前記第１のフランジ部に対向する係合部が形成されていることを特徴とするエレベータのかご室。
【請求項２】
前記係合部は、Ｖ字形状に切り欠かれて形成されており、
前記突出部は、前記係合部に係合可能な円筒形状に形成されていることを特徴とする請求項１に記載のエレベータのかご室。
【請求項３】
前記突出部は、前記第２のフランジ部に固定されたボルトであることを特徴とする請求項１または請求項２に記載のエレベータのかご室。
【請求項４】
前記突出部は、互いに離間して複数個配置され、
前記係合部は、それぞれの前記突出部に対応して複数個形成されていることを特徴とする請求項１ないし請求項３の何れか１項に記載のエレベータのかご室。
【発明の詳細な説明】
【技術分野】
【０００１】
この発明は、巾木を有したかご床と、巾木の上部に設けられる壁とを備えたエレベータのかご室に関する。
【背景技術】
【０００２】
従来、かご床本体と前記かご床本体の縁部に設けられた巾木とを有したかご床と、前記巾木の上部に設けられる壁とを備え、前記巾木は、前記かご床本体の縁部から上方へ延びた上延部と、前記上延部の先端部から先端部が前記かご床の内側に向かって延びた第１のフランジ部とを有し、前記壁は、下端部に先端部が前記かご床の外側に向かって延びた、前記第１のフランジ部に対向する第２のフランジ部を有し、ボルトおよびナットを用いて、前記第２のフランジ部が前記第１のフランジ部に固定されるエレベータのかご室が知られている（例えば、特許文献１参照）。
【０００３】
【特許文献１】特開昭６２−９６２９０号公報
【発明の開示】
【発明が解決しようとする課題】
【０００４】
しかしながら、このものの場合、壁をかご床の内側から外側へ向かってかご床に沿って移動させて、第１のフランジ部の上面に第２のフランジ部を乗せる際に、第２のフランジ部が第１のフランジ部の上面からずれて、壁がかご床の外側へ移動してしまう恐れがあるという問題点があった。
【０００５】
この発明は、上述のような問題点を解決することを課題とするものであって、その目的は、壁をかご床の内側から外側へ向かってかご床に沿って移動させて、第１のフランジ部の上面に第２のフランジ部を乗せる際に、第２のフランジ部が第１のフランジ部の上面からずれて、壁がかご床の外側へ移動することを抑制することができるエレベータのかご室を提供するものである。
【課題を解決するための手段】
【０００６】
この発明に係るエレベータのかご室は、かご床本体と前記かご床本体の縁部に設けられた巾木とを有したかご床と、前記巾木の上部に設けられる壁とを備え、前記巾木は、前記かご床本体の縁部から上方へ延びた上延部と、前記上延部の先端部から先端部が前記かご床の内側に向かって延びた第１のフランジ部とを有し、前記壁は、下端部から先端部が前記かご床の外側に向かって延びた、前記第１のフランジ部に対向する第２のフランジ部を有し、固定手段を用いて、前記第２のフランジ部が前記第１のフランジ部に固定されるエレベータのかご室において、前記第２のフランジ部には、前記上延部の高さ方向の寸法より小さく下方へ突出した突出部が設けられ、前記第１のフランジ部の先端部には、前記壁が前記かご床の内側から外側へ向かって前記かご床に沿って移動することで前記突出部が当接し、前記第２のフランジ部が前記第１のフランジ部に対向する係合部が形成されている。
【発明の効果】
【０００７】
この発明に係るエレベータによれば、壁をかご床の内側から外側へ向かってかご床に沿って移動させて、第１のフランジ部の上面に第２のフランジ部を乗せる際に、巾木の係合部に壁の突出部を当接させることで、第２のフランジ部が第１のフランジ部の上面からずれて、壁がかご床の外側へ移動することを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータのかご室を示す側面図、図２は図１のかご室の要部を示す部分側断面図、図３は図２のかご床１、壁２およびボルト１０を示す部分断面図、図４は図３の巾木１ｂを示す部分平面図である。
この実施の形態に係るエレベータのかご室は、平板形状のかご床本体１ａとこのかご床本体１ａの縁部に設けられた巾木１ｂとを有したかご床１と、この巾木１ｂの上部に設けられる壁２と、この壁２の上部に設けられる天井３と、かご床１の上方に設けられる、水平方向に移動可能なかご戸４とを備えている。
【０００９】
巾木１ｂは、かご床本体１ａの縁部から上方へ所定の寸法だけ延びた上延部５と、この上延部５の先端部から先端部がかご室の内側に向かって延びた第１のフランジ部６とを有している。
壁２は、下端部から先端部がかご室の外側に向かって延びた第２のフランジ部７を有している。
第１のフランジ部６と第２のフランジ部７との間には、固定手段である、ボルト８およびＳＦ−ＰＯＰナット９が取り付け可能となっており、ボルト８およびＳＦ−ＰＯＰナット９を用いて第１のフランジ部６と第２のフランジ部７とを締め付けることで、壁２が巾木１ｂに固定される。
第１のフランジ部６には、ボルト８が移動可能な長孔６ａが壁２の横方向に沿って形成されており、ボルト８およびＳＦ−ＰＯＰナット９による第１のフランジ部６と第２のフランジ部７との締め付けを緩めることで、壁２は巾木１ｂに対して横方向に移動可能となる。
【００１０】
第２のフランジ部７には、上延部５の高さ方向の寸法より小さく下方へ突出した突出部である２個のボルト１０が離間して固定されている。
なお、ボルト１０の数は、２個に限らず、例えば、４個であってもよい。この場合、それぞれのボルト１０を等間隔に離間して固定する。
ボルト１０は、第２のフランジ部７を貫通し、第２のフランジ部７の反第１のフランジ部６側に固定されたＰＯＰナット１１に螺着することで、第２のフランジ部７に固定されている。
なお、突出部はボルト１０に限らず、第２のフランジ部７から、上延部５の高さ方向の寸法より小さく下方へ突出したものであればよく、例えば、第２のフランジ部７から一体に形成された突出部であってもよい。
この場合、ボルト１０を第２のフランジ部７に固定する作業が不要となり、エレベータのかご室の組立が簡単になる。
第１のフランジ部６の先端部には、壁２がかご床１の内側から外側へ向かってかご床１に沿って移動することでボルト１０が当接する、切り欠き形状の係合部６ｂが２個形成されている。
なお、係合部６ｂは、２個に限らず、第２のフランジ部７に固定されたボルト１０の数に合わせて形成される。
【００１１】
次に、この実施の形態に係るエレベータのかご室の巾木１ｂに壁２と取り付ける手順について説明する。
まず、かご床１の上に配置された壁２を持ち上げて、この壁２をかご床１の内側から外側へ向かってかご床１に沿って移動させ、係合部６ｂにボルト１０を当接させる。このとき、第２のフランジ部７は第１のフランジ部６に対向して配置されている。
次に、係合部６ｂにボルト１０を当接させた状態で、第２のフランジ部７を第１のフランジ部６の上面に乗せる。
さらに、長孔６ａに沿って、第２のフランジ部７を移動させて、第１のフランジ部６と第２のフランジ部７との位置を調整する。
最後に、ボルト８およびＳＦ−ＰＯＰナット９用いて、第１のフランジ部６と第２のフランジ部７とを締め付けることで、壁２を巾木１ｂに固定する。
【００１２】
この実施の形態に係るエレベータのかご室によれば、第２のフランジ部７には下方に突出するようにボルト１０が取り付けられ、第１のフランジ部６には、壁２がかご床１の内側から外側へ向かってかご床１に沿って移動することで、ボルト１０が当接し、第２のフランジ部７が第１のフランジ部６に対向する係合部６ｂが形成されているので、第１のフランジ部６を第２のフランジ部７の上面に乗せる際に、係合部６ｂにボルト１０を当接させることで、第２のフランジ部７が第１のフランジ部６の上面からずれて、壁２がかご床１の外側へ移動することを抑制することができる。
また、ボルト１０により、壁２が既にかご床１から上方に配置されているので、第１のフランジ部６を第２のフランジ部７の上面に乗せる際に、壁２を上方に持ち上げる距離を小さくすることができ、作業性を向上させることができる。
【００１３】
また、突出部はボルト１０であるので、簡単に第２のフランジ部７に固定することができる。
【００１４】
実施の形態２．
図５はこの実施の形態に係るエレベータのかご室の巾木１ｂを示す部分平面図である。
この実施の形態に係るエレベータのかご室は、第１のフランジ部６の先端部に、Ｖ字形状の係合部６ｂが、２個、切り欠かれて形成されている。
第２のフランジ部７に固定されたボルト１０は、係合部６ｂに係合可能な円筒形状に形成されている。
その他の構成は実施の形態１と同様である。
【００１５】
この実施の形態に係るエレベータのかご室によれば、第１のフランジ部６の先端部には、Ｖ字形状の係合部６ｂが切り欠かれて形成され、第２のフランジ部７に固定されたボルト１０は、係合部６ｂに係合可能な円筒形状に形成されているので、第１のフランジ部６を第２のフランジ部７の上面に乗せる際に、係合部６ｂにボルト１０を当接させることで、第１のフランジ部６と第２のフランジ部７との位置が簡単に調整され、作業性を向上させることができる。
【図面の簡単な説明】
【００１６】
【図１】この発明の実施の形態１に係るエレベータのかご室を示す側面図である。
【図２】図１のかご室の要部を示す部分側断面図である。
【図３】図２のかご床、壁およびボルトを示す部分側断面図である。
【図４】図３の巾木を示す部分平面図である。
【図５】この発明の実施の形態２に係るエレベータのかご室の巾木を示す部分平面図である。
【符号の説明】
【００１７】
１  かご床、１ａ  かご床本体、１ｂ  巾木、２  壁、３  天井、４  かご戸、５  上延部、６  第１のフランジ部、６ａ  長孔、６ｂ  係合部、７  第２のフランジ部、８  ボルト（固定手段）、９  ＳＦ−ＰＯＰナット（固定手段）、１０  ボルト（突出部）、１１  ＰＯＰナット。
【図１】
2009202984.tif 000003
【図２】
2009202984.tif 000004
【図３】
2009202984.tif 000005
【図４】
2009202984.tif 000006
【図５】
2009202984.tif 000007